(57)【特許請求の範囲】
【請求項１】
ユーザーによる指示操作に基づいて画像データの送信ジョブを実行するデータ送信装置であって、
ユーザーによる操作入力を受け付ける操作入力手段と、
前記操作入力手段に対する操作を行うユーザーを判別するユーザー判別手段と、
前記ユーザー判別手段で判別された第１のユーザーによって行われる送信ジョブに関する設定操作に基づいて送信ジョブを設定する送信ジョブ設定手段と、
前記ユーザー判別手段で前記第１のユーザーとは異なる第２のユーザーが判別されることに伴い、前記送信ジョブ設定手段によって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別する送信ジョブ確認手段と、
前記送信ジョブ確認手段によって前記確認対象項目のそれぞれに設定されている情報が全て正確であると判別されることを条件として、前記送信ジョブ設定手段によって設定される送信ジョブの送信を許可するジョブ制御手段と、
を備えることを特徴とするデータ送信装置。
【請求項２】
前記送信ジョブ確認手段は、前記確認対象項目に対して前記第１のユーザーが設定入力した情報を読み出して表示し、前記第２のユーザーがその表示された情報に対してタッチ操作を行う度に、前記確認対象項目に対して設定されている情報の正否判別を切り替えることを特徴とする請求項１に記載のデータ送信装置。
【請求項３】
前記送信ジョブ確認手段は、前記送信ジョブに含まれる情報に、前記第２のユーザーによるタッチ操作とは異なる確認操作を受け付けることが予め設定された確認対象項目が含まれる場合、当該確認対象項目に対する前記第２のユーザーの設定入力操作を受け付け、前記第２のユーザーによって設定入力された情報と、前記第１のユーザーによって設定入力された情報とが一致する場合に、当該確認対象項目に対して設定されている情報が正確であると判別することを特徴とする請求項１又は２に記載のデータ送信装置。
【請求項４】
前記確認対象項目は、送信ジョブの送信宛先を含むことを特徴とする請求項１乃至３のいずれかに記載のデータ送信装置。
【請求項５】
前記確認対象項目は、送信対象となる画像データのプレビュー表示を含み、
前記送信ジョブ確認手段は、プレビュー表示を含む確認対象項目の正否判別を行うとき、前記第１のユーザーにより送信対象として指定された画像データのプレビュー表示を行うと共に、前記第２のユーザーによって行われるページ更新操作に基づいてプレビュー表示する画像データを更新し、前記第２のユーザーによるページ更新操作によって送信対象となる画像データに含まれる全ページのプレビュー表示が完了することを条件として、送信対象として設定されている画像データが正確であると判別することを特徴とする請求項１乃至４のいずれかに記載のデータ送信装置。
【請求項６】
原稿を読み取って送信対象となる画像データを生成する原稿読取手段をさらに備え、
前記送信ジョブ設定手段は、前記第１のユーザーからの指示に基づいて前記原稿読取手段に原稿の読み取り動作を行わせ、前記原稿読取手段から取得する画像データを送信対象として送信ジョブに設定することを特徴とする請求項１乃至５のいずれかに記載のデータ送信装置。
【請求項７】
前記確認対象項目は、前記原稿読取手段における原稿の読み取り設定を含むことを特徴とする請求項６に記載のデータ送信装置。
【請求項８】
前記確認対象項目は、送信対象となる画像データに添付するカバーページの選択を含むことを特徴とする請求項１乃至７のいずれかに記載のデータ送信装置。
【請求項９】
前記送信ジョブ確認手段は、カバーページが選択された確認対象項目の正否判別を行うとき、前記第２のユーザーによる操作に基づいて、前記第１のユーザーが選択したカバーページのプレビュー表示を行うことを条件として、送信対象として設定されているカバーページが正確であると判別することを特徴とする請求項８に記載のデータ送信装置。
【請求項１０】
前記送信ジョブ確認手段は、前記第２のユーザーに対して前記確認対象項目の確認操作を行わせるための確認操作画面を表示し、前記確認操作画面において前記第２のユーザーによる確認操作が行われていない前記確認対象項目を第１の表示態様で表示すると共に、前記第２のユーザーによる確認操作が行われた前記確認対象項目を前記第１の表示態様とは異なる第２の表示態様で表示することを特徴とする請求項１乃至９のいずれかに記載のデータ送信装置。
【請求項１１】
前記送信ジョブ確認手段は、前記第２のユーザーによる確認操作が行われた前記確認対象項目に対して設定されている情報が間違った情報であると判別した場合、当該確認対象項目の表示態様を、前記第１および第２の表示態様とは異なる第３の表示態様で表示することを特徴とする請求項１０に記載のデータ送信装置。
【請求項１２】
前記送信ジョブ確認手段は、前記ユーザー判別手段によって判別された前記第２のユーザーが確認操作の権限が予め付与された特定ユーザーであることを条件として、前記第２のユーザーによる確認操作を受け付けることを特徴とする請求項１乃至１１のいずれかに記載のデータ送信装置。
【請求項１３】
前記送信ジョブ設定手段は、前記送信ジョブ確認手段により前記確認対象項目に対して設定されている情報が間違った情報であると判別された場合、前記第１のユーザーに対して送信ジョブに関する再度の設定操作を行うように通知することを特徴とする請求項１乃至１２のいずれかに記載のデータ送信装置。
【請求項１４】
前記ユーザー判別手段は、前記操作入力手段に対して入力される認証情報、ＩＣカードから読み取ったカード情報、又は、ユーザーの生体から読み取った生体情報に基づいて、前記操作入力手段に対する操作を行うユーザーを判別することを特徴とする請求項１乃至１３のいずれかに記載のデータ送信装置。
【請求項１５】
前記ユーザー判別手段は、前記操作入力手段に対する操作を行うユーザーの人体を介して該ユーザーが所持する端末装置との通信を行うことにより、前記端末装置から取得するユーザーの識別情報に基づいて、前記操作入力手段に対する操作が行われる都度、ユーザーの判別を行うことを特徴とする請求項１乃至１３のいずれかに記載のデータ送信装置。
【請求項１６】
ユーザーによる指示操作に基づいて画像データの送信ジョブを実行するデータ送信方法であって、
ユーザーによる操作入力を受け付けるステップと、
前記操作入力を行うユーザーを判別するステップと、
判別された第１のユーザーによって行われる送信ジョブに関する設定操作に基づいて送信ジョブを設定するステップと、
前記第１のユーザーとは異なる第２のユーザーが判別されることに伴い、前記第１のユーザーによって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別するステップと、
前記確認対象項目のそれぞれに設定されている情報が全て正確であると判別されることを条件として、前記第１のユーザーによって設定された送信ジョブの送信を許可するステップと、
を有することを特徴とするデータ送信方法。
【請求項１７】
データ送信装置において実行され、ユーザーによる指示操作に基づいて画像データの送信ジョブを実行するためのプログラムであって、前記データ送信装置を、
所定の操作入力手段に対する操作を行うユーザーを判別するユーザー判別手段、
前記ユーザー判別手段で判別された第１のユーザーによって行われる送信ジョブに関する設定操作に基づいて送信ジョブを設定する送信ジョブ設定手段、
前記ユーザー判別手段で前記第１のユーザーとは異なる第２のユーザーが判別されることに伴い、前記送信ジョブ設定手段によって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別する送信ジョブ確認手段、および、
前記送信ジョブ確認手段によって前記確認対象項目のそれぞれに設定されている情報が全て正確であると判別されることを条件として、前記送信ジョブ設定手段によって設定される送信ジョブの送信を許可するジョブ制御手段、
として機能させることを特徴とするプログラム。
【発明の詳細な説明】
【技術分野】
【０００１】
本発明は、データ送信装置、データ送信方法およびプログラムに関し、特にデータ送信時の誤送信を防止するための技術に関する。
【背景技術】
【０００２】
銀行などの業務では、ＦＡＸ送信時の誤送信を防止するため、例えば送信者と管理者とがペアになって送信操作を行うようにした業務態様が採用されている。従来、そのような業務態様をサポートする装置として、例えば、送信宛先を２度入力することによって誤送信を防止する装置が知られている（例えば、特許文献１，２）。
【０００３】
例えば、特許文献１の装置は、送信宛先となるＦＡＸ番号を２回入力し、１回目と２回目のＦＡＸ番号が一致する場合にＦＡＸ送信を行う構成である。また特許文献２の装置は、送信宛先だけでなく、ＦＡＸ送信に関する複数の設定項目について２回の入力操作を行わせ、１回目と２回目でそれら複数の設定項目の全てが一致することを条件としてＦＡＸ送信を許可する構成である。
【０００４】
しかし、単にＦＡＸ番号を２回入力させてそれらを照合するだけでは、管理者が立ち会っているか否かにかかわらず、送信者自ら同じＦＡＸ番号を２回入力すればＦＡＸ送信が行われる。そのため、送信者が誤ったＦＡＸ番号を２回入力してしまうことにより、誤送信が発生するという問題がある。
【０００５】
こうした問題を解決するため、例えば一人目のユーザーが送信設定を行った後、その設定値を操作パネルに表示した状態で二人目のユーザーが送信開始を指示するスタートキーを操作した場合にＦＡＸ送信を行う装置が提案されている（例えば、特許文献３）。この従来の装置は、一人目に指紋認証した指紋データと、二人目に指紋認証した指紋データとを比較し、一人目のユーザーと二人目のユーザーとが別人であることが確認されると、ＦＡＸ送信を許可する構成である。
【０００６】
またさらに、ＦＡＸ送信を承認する承認者に承認コードの入力を依頼することで誤送信を防止する装置も提案されている（例えば、特許文献４）。この従来の装置は、送信対象となる原稿データから承認者情報を取得し、ＦＡＸ送信を行う前に、その原稿データを承認者へ送信して承認依頼を行う。そして承認者が承認コードを入力してＦＡＸ送信を承認すると、原稿データのＦＡＸ送信を行う構成である。
【先行技術文献】
【特許文献】
【０００７】
【特許文献１】特開平２−２０００５８号公報
【特許文献２】特開２０１０−１１４７２２号公報
【特許文献３】特開２００７−２３５４３７号公報
【特許文献４】特開２００９−１８８６１８号公報
【発明の概要】
【発明が解決しようとする課題】
【０００８】
しかしながら、上述した特許文献３および４に開示されたような従来の装置でも、誤送信が発生する可能性がある。すなわち、特許文献３の装置は、上述したように、一人目のユーザーが送信設定を行った後、その設定値を操作パネルに表示した状態で二人目の別のユーザーが認証を行ってスタートキーを操作すると、ＦＡＸ送信を行う構成であるため、二人目のユーザーが操作パネルに表示されている設定値を実際に確認したか否かが判らない。言い換えると、二人目のユーザーは、操作パネルに表示されている設定値を確認しなくても、認証を行ってスタートキーを操作すれば、ＦＡＸ送信が行われる。それ故、一人目のユーザーが間違った送信設定を行っている場合には、誤送信が発生する。
【０００９】
また、特許文献４の装置についても同様である。すなわち、特許文献４の装置は、承認者が承認コードを入力して承認するとＦＡＸ送信を行う構成であるため、承認者が原稿データを実際に確認したか否かが判らない。それ故、承認者が原稿データを実際に確認することなく、承認コードを入力した場合には、誤送信が発生する。
【００１０】
そこで本発明は、上記課題を解決すべく、送信設定を行った第１のユーザーとは異なる第２のユーザーが確実に事前確認を行うことができるようにし、第２のユーザーが事前確認を完了させた後にデータ送信を開始することで誤送信を良好に防止できるようにしたデータ送信装置、データ送信方法およびプログラムを提供することを目的とするものである。
【課題を解決するための手段】
【００１１】
上記目的を達成するため、請求項１にかかる発明は、ユーザーによる指示操作に基づいて画像データの送信ジョブを実行するデータ送信装置であって、ユーザーによる操作入力を受け付ける操作入力手段と、前記操作入力手段に対する操作を行うユーザーを判別するユーザー判別手段と、前記ユーザー判別手段で判別された第１のユーザーによって行われる送信ジョブに関する設定操作に基づいて送信ジョブを設定する送信ジョブ設定手段と、前記ユーザー判別手段で前記第１のユーザーとは異なる第２のユーザーが判別されることに伴い、前記送信ジョブ設定手段によって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別する送信ジョブ確認手段と、前記送信ジョブ確認手段によって前記確認対象項目のそれぞれに設定されている情報が全て正確であると判別されることを条件として、前記送信ジョブ設定手段によって設定される送信ジョブの送信を許可するジョブ制御手段と、を備えることを特徴とする構成である。
【００１２】
請求項２にかかる発明は、請求項１に記載のデータ送信装置において、前記送信ジョブ確認手段は、前記確認対象項目に対して前記第１のユーザーが設定入力した情報を読み出して表示し、前記第２のユーザーがその表示された情報に対してタッチ操作を行う度に、前記確認対象項目に対して設定されている情報の正否判別を切り替えることを特徴とする構成である。
【００１３】
請求項３にかかる発明は、請求項１又は２に記載のデータ送信装置において、前記送信ジョブ確認手段は、前記送信ジョブに含まれる情報に、前記第２のユーザーによるタッチ操作とは異なる確認操作を受け付けることが予め設定された確認対象項目が含まれる場合、当該確認対象項目に対する前記第２のユーザーの設定入力操作を受け付け、前記第２のユーザーによって設定入力された情報と、前記第１のユーザーによって設定入力された情報とが一致する場合に、前記確認対象項目に対して設定されている情報が正確であると判別することを特徴とする構成である。
【００１４】
請求項４にかかる発明は、請求項１乃至３のいずれかに記載のデータ送信装置において、前記確認対象項目は、送信ジョブの送信宛先を含むことを特徴とする構成である。
【００１５】
請求項５にかかる発明は、請求項１乃至４のいずれかに記載のデータ送信装置において、前記確認対象項目は、送信対象となる画像データのプレビュー表示を含み、前記送信ジョブ確認手段は、プレビュー表示を含む確認対象項目の正否判別を行うとき、前記第１のユーザーにより送信対象として指定された画像データのプレビュー表示を行うと共に、前記第２のユーザーによって行われるページ更新操作に基づいてプレビュー表示する画像データを更新し、前記第２のユーザーによるページ更新操作によって送信対象となる画像データに含まれる全ページのプレビュー表示が完了することを条件として、送信対象として設定されている画像データが正確であると判別することを特徴とする構成である。
【００１６】
請求項６にかかる発明は、請求項１乃至５のいずれかに記載のデータ送信装置において、原稿を読み取って送信対象となる画像データを生成する原稿読取手段をさらに備え、前記送信ジョブ設定手段は、前記第１のユーザーからの指示に基づいて前記原稿読取手段に原稿の読み取り動作を行わせ、前記原稿読取手段から取得する画像データを送信対象として送信ジョブに設定することを特徴とする構成である。
【００１７】
請求項７にかかる発明は、請求項６に記載のデータ送信装置において、前記確認対象項目は、前記原稿読取手段における原稿の読み取り設定を含むことを特徴とする構成である。
【００１８】
請求項８にかかる発明は、請求項１乃至７のいずれかに記載のデータ送信装置において、前記確認対象項目は、送信対象となる画像データに添付するカバーページの選択を含むことを特徴とする構成である。
【００１９】
請求項９にかかる発明は、請求項８に記載のデータ送信装置において、前記送信ジョブ確認手段は、カバーページが選択された確認対象項目の正否判別を行うとき、前記第２のユーザーによる操作に基づいて、前記第１のユーザーが選択したカバーページのプレビュー表示を行うことを条件として、送信対象として設定されているカバーページが正確であると判別することを特徴とする構成である。
【００２０】
請求項１０にかかる発明は、請求項１乃至９のいずれかに記載のデータ送信装置において、前記送信ジョブ確認手段は、前記第２のユーザーに対して前記確認対象項目の確認操作を行わせるための確認操作画面を表示し、前記確認操作画面において前記第２のユーザーによる確認操作が行われていない前記確認対象項目を第１の表示態様で表示すると共に、前記第２のユーザーによる確認操作が行われた前記確認対象項目を前記第１の表示態様とは異なる第２の表示態様で表示することを特徴とする構成である。
【００２１】
請求項１１にかかる発明は、請求項１０に記載のデータ送信装置において、前記送信ジョブ確認手段は、前記第２のユーザーによる確認操作が行われた前記確認対象項目に対して設定されている情報が間違った情報であると判別した場合、当該確認対象項目の表示態様を、前記第１および第２の表示態様とは異なる第３の表示態様で表示することを特徴とする構成である。
【００２２】
請求項１２にかかる発明は、請求項１乃至１１のいずれかに記載のデータ送信装置において、前記送信ジョブ確認手段は、前記ユーザー判別手段によって判別された前記第２のユーザーが確認操作の権限が予め付与された特定ユーザーであることを条件として、前記第２のユーザーによる確認操作を受け付けることを特徴とする構成である。
【００２３】
請求項１３にかかる発明は、請求項１乃至１２のいずれかに記載のデータ送信装置において、前記送信ジョブ設定手段は、前記送信ジョブ確認手段により前記確認対象項目に対して設定されている情報が間違った情報であると判別された場合、前記第１のユーザーに対して送信ジョブに関する再度の設定操作を行うように通知することを特徴とする構成である。
【００２４】
請求項１４にかかる発明は、請求項１乃至１３のいずれかに記載のデータ送信装置において、前記ユーザー判別手段は、前記操作入力手段に対して入力される認証情報、ＩＣカードから読み取ったカード情報、又は、ユーザーの生体から読み取った生体情報に基づいて、前記操作入力手段に対する操作を行うユーザーを判別することを特徴とする構成である。
【００２５】
請求項１５にかかる発明は、請求項１乃至１３のいずれかに記載のデータ送信装置において、前記ユーザー判別手段は、前記操作入力手段に対する操作を行うユーザーの人体を介して該ユーザーが所持する端末装置との通信を行うことにより、前記端末装置から取得するユーザーの識別情報に基づいて、前記操作入力手段に対する操作が行われる都度、ユーザーの判別を行うことを特徴とする構成である。
【００２６】
請求項１６にかかる発明は、ユーザーによる指示操作に基づいて画像データの送信ジョブを実行するデータ送信方法であって、ユーザーによる操作入力を受け付けるステップと、前記操作入力を行うユーザーを判別するステップと、判別された第１のユーザーによって行われる送信ジョブに関する設定操作に基づいて送信ジョブを設定するステップと、前記第１のユーザーとは異なる第２のユーザーが判別されることに伴い、前記第１のユーザーによって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別するステップと、前記確認対象項目のそれぞれに設定されている情報が全て正確であると判別されることを条件として、前記第１のユーザーによって設定された送信ジョブの送信を許可するステップと、を有することを特徴とする構成である。
【００２７】
請求項１７にかかる発明は、データ送信装置において実行され、ユーザーによる指示操作に基づいて画像データの送信ジョブを実行するためのプログラムであって、前記データ送信装置を、所定の操作入力手段に対する操作を行うユーザーを判別するユーザー判別手段、前記ユーザー判別手段で判別された第１のユーザーによって行われる送信ジョブに関する設定操作に基づいて送信ジョブを設定する送信ジョブ設定手段、前記ユーザー判別手段で前記第１のユーザーとは異なる第２のユーザーが判別されることに伴い、前記送信ジョブ設定手段によって設定された送信ジョブを読み出し、該送信ジョブに含まれる情報のうちの予め設定された確認対象項目ごとに、前記第２のユーザーの前記確認対象項目に対するタッチ操作を確認操作として受け付け、前記第２のユーザーによるタッチ操作の回数に基づき前記確認対象項目に対して設定されている情報の正否を前記確認対象項目ごとに判別する送信ジョブ確認手段、および、前記送信ジョブ確認手段によって前記確認対象項目のそれぞれに設定されている情報が全て正確であると判別されることを条件として、前記送信ジョブ設定手段によって設定される送信ジョブの送信を許可するジョブ制御手段、として機能させることを特徴とする構成である。
【発明の効果】
【００２８】
本発明によれば、送信ジョブの設定操作を行う第１のユーザーとは異なる第２のユーザーが送信ジョブの詳細を確実に確認することできるようになり、しかも第２のユーザーが事前の確認操作を完了させた後にデータ送信を開始するので、送信ジョブが誤送信されてしまうことを良好に防止することができるようになる。
【図面の簡単な説明】
【００２９】
【図１】データ送信装置を含む通信システムの一構成例を示す図である。
【図２】データ送信装置のハードウェア構成の一例を示す図である。
【図３】データ送信装置における機能構成の一例を示すブロック図である。
【図４】確認設定登録部によって表示部に表示される確認操作設定画面の一例を示す図である。
【図５】確認設定登録部によって生成される確認登録情報の一例を示す図である。
【図６】第１のユーザーが操作する画面の一例を示す図である。
【図７】第１のユーザーが送信ジョブを設定する際に操作する画面の一例を示す図である。
【図８】第２のユーザーが送信ジョブの確認操作を行うための画面の一例を示す図である。
【図９】第２のユーザーが送信ジョブの確認操作を行うための画面の一例を示す図である。
【図１０】第２のユーザーが送信ジョブの確認操作を行うための画面の一例を示す図である。
【図１１】第２のユーザーが送信ジョブの確認操作を行うための画面の一例を示す図である。
【図１２】第２のユーザーが送信ジョブの確認操作を行うための画面の一例を示す図である。
【図１３】確認操作管理情報の一例を示す図である。
【図１４】第１の実施の形態のデータ送信装置において行われる処理手順の一例を示すフローチャートである。
【図１５】確認処理の詳細な処理手順の一例を示すフローチャートである。
【図１６】確認操作判別処理の詳細な処理手順の一例を示すフローチャートである。
【図１７】第２の実施の形態のデータ送信装置において行われる処理手順の一例を示すフローチャートである。
【発明を実施するための形態】
【００３０】
以下、本発明に関する好ましい実施形態について図面を参照しつつ詳細に説明する。尚、以下に説明する実施形態において互いに共通する部材には同一符号を付しており、それらについての重複する説明は省略する。
【００３１】
（第１の実施の形態）
図１は、本実施形態におけるデータ送信装置１を含む通信システムの一構成例を示す図である。本実施形態のデータ送信装置１は、例えば複合機やＭＦＰ（Multifunction Peripheral）などと呼ばれる装置である。データ送信装置１は、データ送信機能として、ＦＡＸ送信機能およびスキャン送信機能を有しており、ユーザーによる指示操作に基づいて画像データの送信ジョブを実行する。またデータ送信装置１は、データ送信機能の他にも、プリント機能やコピー機能、ストレージ機能などの複数の機能を備えている。ただし、データ送信装置１は、必ずしも複数の機能を備えるものに限られず、ＦＡＸ送信機能やスキャン送信機能などのデータ送信機能だけを備えたものであっても構わない。
【００３２】
このデータ送信装置１は、装置本体の上部に原稿読取手段であるスキャナ部１９を備えている。スキャナ部１９は、ユーザーによってセットされる原稿を読み取って送信対象となる画像データを生成するものである。
【００３３】
またデータ送信装置１は、装置本体の正面側に、ユーザーインタフェースとなる操作パネル１６を備えている。操作パネル１６は、ユーザーによって行われる各種操作入力を受け付けるための操作入力手段である。ユーザーは、データ送信装置１に対して送信ジョブの設定操作を行ったり、送信ジョブの確認操作を行ったりする際に、この操作パネル１６に対して操作を行う。
【００３４】
図１に示すように、データ送信装置１は、ＬＡＮ（Local Area Network）などのネットワーク４に接続されており、そのネットワーク４に接続された他のコンピュータ５に対し、スキャン送信機能による画像データの送信を行うことが可能である。また、データ送信装置１は、電話回線やインターネットなどの公衆通信網６にも接続されており、その公衆通信網６を介して他の装置７に対し、ＦＡＸ送信機能による画像データの送信を行うことも可能である。
【００３５】
そして本実施形態のデータ送信装置１は、画像データの送信を行う際には、第１のユーザー（例えば、一般従業員である送信者）によって設定された送信設定の詳細を、第１のユーザーとは異なる第２のユーザー（例えば、一般従業員の管理者）が確実に確認することを条件とし、第２のユーザーによる確認作業が完了した後に画像データの送信を行うように構成される。以下、このようなデータ送信装置１についてさらに詳しく説明する。
【００３６】
図２は、データ送信装置１のハードウェア構成の一例を示す図である。図２に示すように、データ送信装置１は、上述したスキャナ部１９および操作パネル１６の他、コントローラ１０と、プリンタ部２０と、ＦＡＸモデム２１と、ネットワークインタフェース２２とを備えている。
【００３７】
コントローラ１０は、演算処理ユニットであるＣＰＵ１１と、不揮発性メモリであるＲＯＭ１２と、揮発性メモリであるＲＡＭ１３と、データの書き換え可能な不揮発性メモリであるＮＶＲＡＭ１４と、ハードディスク装置であるＨＤＤ１５とを備えて構成される。ＣＰＵ１１は、データ送信装置１への電源投入時に、ＲＯＭ１２に予め格納されているプログラムを読み出して実行することにより、各種の処理を実行する。ＲＯＭ１２は、そのようなプログラムを記憶するためのものである。ＲＡＭ１３は、ＣＰＵ１１がプログラムに基づく処理を実行する際に一時的なデータなどを記憶するためのものである。このＲＡＭ１３には、画像データの送信時に、ユーザーによって設定されるジョブ情報なども一時的に保存される。ＮＶＲＡＭ１４は、データ送信装置１の管理者などによって予め設定される各種情報を記憶しておくためのメモリである。ＨＤＤ１５は、データ送信装置１において使用される様々な画像データなどを予め記憶しておくためのものである。例えば、本実施形態では、画像データの送信時に送信対象となる画像の表紙に対して添付するための各種カバーページに関する画像データがＨＤＤ１５に予め保存されている。またカバーページの他にも、様々な画像データをＨＤＤ１５に保存しておくことができる。
【００３８】
また上述した操作パネル１６は、表示部１７と操作部１８とを備えている。表示部１７は、例えばカラー液晶ディスプレイなどで構成され、操作パネル１６を操作するユーザーに対して各種情報を表示する。操作部１８は、その表示部１７の表示画面上に配置されたタッチパネルキーと、表示画面の周囲に配置された押しボタンキーとによって構成され、ユーザーによる各種操作入力を受け付ける。
【００３９】
スキャナ部１９は、上述したようにユーザーによってセットされる原稿を読み取って送信対象となる画像データを生成する。ただし、本実施形態では、送信対象となる画像データは必ずしもスキャナ部１９が生成した画像データには限られず、例えばＨＤＤ１５などに保存されている画像データを送信対象として指定することも可能である。
【００４０】
プリンタ部２０は、画像データに基づいて印刷出力を行うものである。例えば、データ送信装置１は、公衆通信網６を介して他の装置７からＦＡＸデータ（画像データ）を受信することも可能であり、ＦＡＸデータを受信した場合には、このプリンタ部２０が動作して受信したＦＡＸデータに基づく印刷出力を行う。
【００４１】
ＦＡＸモデム２１は、ＦＡＸ送信機能によって画像データの送受信を行うためのものでる。またネットワークインタフェース２２は、ネットワーク４に接続された他のコンピュータ５と画像データなどの送受信を行うためのものである。
【００４２】
上記のように構成されるデータ送信装置１は、ＣＰＵ１１がプログラムを実行することにより、図３に示すように機能する。すなわち、図３は、データ送信装置１における機能構成の一例を示すブロック図である。ＣＰＵ１１がプログラムを実行することにより、コントローラ１０は、ユーザー判別部３０、確認設定登録部３１、送信ジョブ設定部３２、送信ジョブ確認部３３およびジョブ制御部３４として機能する。
【００４３】
ユーザー判別部３０は、操作パネル１６を操作するユーザーを判別する処理部である。このユーザー判別部３０は、例えば操作パネル１６に対してユーザーＩＤやパスワードなどの認証情報が入力されると、ＮＶＲＡＭ１４に予め格納されているユーザー情報４０を読み出す。ユーザー情報４０は、データ送信装置１を使用することが許可された複数のユーザーのそれぞれを識別するための情報であり、データ送信装置１の管理者によって予め登録される情報である。そしてユーザー判別部３０は、操作パネル１６に入力された認証情報が、ユーザー情報４０に予め登録されている情報と一致するか否かを認証することにより、操作パネル１６を操作するユーザーを判別する。
【００４４】
ただし、ユーザー判別部３０は、上記のように操作パネル１６に対して手動操作で入力されるユーザーＩＤやパスワードなどの認証情報に基づいて認証を行うものに限られない。例えばユーザーが所持しているＩＣカードから読み取ったカード情報が、ユーザー情報４０に予め登録されている情報と一致するか否かを認証するようにしても良い。また、ユーザーの指紋や静脈パターンなどを読み取って得られる生体情報が、ユーザー情報４０に予め登録されている情報と一致するか否かを認証するようにしても良い。
【００４５】
上記のようにしてユーザー判別部３０が操作パネル１６を操作するユーザーを判別することができると、データ送信装置１の動作状態は、その判別されたユーザーによってログインされたログイン状態へと移行する。このログイン状態は、データ送信装置１に対して送信ジョブの設定操作や、既に設定された送信ジョブの確認操作を行うことができる動作状態である。一方、ユーザー判別部３０がユーザーを判別することができなかった場合には、そのようなログイン状態へ移行することはない。
【００４６】
データ送信装置１がログイン状態へ移行すると、確認設定登録部３１、送信ジョブ設定部３２、送信ジョブ確認部３３およびジョブ制御部３４が機能するようになる。
【００４７】
確認設定登録部３１は、例えばデータ送信装置１の管理者などがログインした場合に機能し、第１のユーザーが設定した送信ジョブを送信する際に、その第１のユーザーとは異なる第２のユーザーによる確認操作を行うか否かの設定を予め登録しておく処理部である。
【００４８】
図４は、確認設定登録部３１によって表示部１７に表示される確認操作設定画面の一例を示す図である。確認設定登録部３１は、データ送信装置１の管理者などがログインした状態になると、図４（ａ）に示すような確認操作設定画面Ｇ１０を表示することにより、第２のユーザーによって確認操作を行う項目の設定操作を受け付ける。
【００４９】
図４（ａ）に示す確認操作設定画面Ｇ１０は、ＦＡＸ送信に関する設定画面であり、その画面中央に、確認対象項目と、確認操作方法とを設定するための設定欄Ｒ１０が表示されている。この設定欄Ｒ１０には、確認対象項目として、「送信宛先」、「プレビュー表示」、「用紙サイズ」、「解像度」および「カバーページ」からなる複数の確認対象項目が含まれている。それら複数の確認対象項目の左側には、管理者によるタッチ操作ごとに選択状態と非選択状態とが切り替わるチェックボックスが表示されている。したがって、管理者はそれらチェックボックスに対するタッチ操作を行うことにより、複数の確認対象項目のうちから第２のユーザーによる確認操作の必要な項目を選択して設定することができる。尚、図４（ａ）の例では、「送信宛先」と、「プレビュー表示」と、「カバーページ」との３つの項目が第２のユーザーによる確認操作が必要な項目として選択された場合を示している。
【００５０】
また各確認対象項目の右側には、第２のユーザーによる確認操作方法を設定するプルダウンメニューが表示されている。管理者はそれらプルダウンメニューに対する操作を行うことにより、各確認対象項目に対して第２のユーザーが確認操作を行う際の操作方法を予め設定することができる。例えば、確認操作方法は、「再入力確認」と、「設定値確認」との２つの方法から選択可能となっており、管理者はプルダウンメニューを操作してそれら２つの方法のうちから第２のユーザーに行わせる確認操作方法を設定する。「再入力確認」は、第２のユーザーに対し、第１のユーザーが行った操作と同じ操作を行わせることにより、第１のユーザーによって設定された設定状態が正確な設定状態であるか否かを確認する方法である。また「設定値確認」は、第２のユーザーに対し、第１のユーザーが設定した設定値を表示し、その設定値に対する第２のユーザーの操作に基づいて第１のユーザーによって設定された設定状態が正確な設定状態であるか否かを確認する方法である。ただし、「プレビュー表示」に関しては、第２のユーザーに送信対象となる画像データを表示してその内容を確認させるものであるため、これについての確認操作方法は選択することができないようになっている。
【００５１】
また図４（ａ）の確認操作設定画面Ｇ１０の左下隅には、確認ユーザー登録ボタンＢ１０が表示されている。この確認ユーザー登録ボタンＢ１０は、第１のユーザーが行った設定を確認する第２のユーザーを特定のユーザーに制限するためのボタンである。確認ユーザー登録ボタンＢ１０が操作されると、図４（ａ）の確認操作設定画面Ｇ１０は、図４（ｂ）に示す画面Ｇ１１に遷移する。図４（ｂ）に示す確認操作設定画面Ｇ１１では、第１のユーザーが行った設定を確認する第２のユーザーを特定のユーザーに制限する設定を行うことができる。図４（ｂ）に示す例では、ＦＡＸ送信時に第１のユーザーが行った送信設定を、ユーザーＢが第２のユーザーとして確認操作を行う設定が行われている例を示している。この確認操作設定画面Ｇ１１では、複数の特定ユーザーを第２のユーザーとして登録しておくことも可能である。また、この確認操作設定画面Ｇ１１において、特定のユーザーが登録されていない場合には、第２のユーザーは特定に制限されず、第１のユーザーと異なるユーザーであれば、誰でも確認操作を行うことができる設定となる。
【００５２】
そして管理者は、図４（ｂ）の確認操作設定画面Ｇ１１においてＯＫボタンＢ１２を操作すると、図４（ａ）の画面Ｇ１０に戻る。そして図４（ａ）の確認操作設定画面Ｇ１０においてＯＫボタンＢ１１を操作すると、第２のユーザーによる確認操作を行うか否かの設定操作が完了する。尚、上記においてはＦＡＸ送信の場合を例示したが、スキャン送信についても同様の操作を行うことによって設定を行うことができる。
【００５３】
確認設定登録部３１は、上記のようにして第２のユーザーによる確認操作を行うか否かの設定が行われると、確認登録情報４１を生成し、ＮＶＲＡＭ１４に格納する。図５は、確認設定登録部３１によって生成される確認登録情報４１の一例を示す図である。図５に示すように、この確認登録情報４１には、複数の確認対象項目のそれぞれに対し、管理者によって設定された第２のユーザーによる確認操作が必要であるか否かの情報が記録されると共に、管理者によって選択された確認操作方法が記録されている。また、第２のユーザーが特定のユーザーに制限されている場合は、その特定ユーザーに関する情報が確認登録情報４１に記録される。尚、このような確認登録情報４１は、例えばＦＡＸ送信やスキャン送信といった送信種別ごとに作成され、ＮＶＲＡＭ１４に格納される。また、このような確認登録情報４１は、データ送信装置１において画像データの送信ジョブが実行されるときに参照される情報であるため、送信ジョブが実行される前に予め登録されていることが好ましい。
【００５４】
次に送信ジョブ設定部３２は、ユーザー判別部３０において判別された第１のユーザーによって行われる送信ジョブに関する設定操作に基づいて送信ジョブを設定する処理部である。この送信ジョブ設定部３２は、操作パネル１６の表示部１７に、送信ジョブを設定するためのジョブ設定画面を表示し、その画面に対して行われる第１のユーザーの設定操作に基づいて送信ジョブを設定する。そして、その送信ジョブに関するジョブ情報４２を生成し、ＲＡＭ１３に格納する。
【００５５】
ＲＡＭ１３に格納されるジョブ情報４２には、第１のユーザーによって設定される様々な設定情報が含まれる。例えば、ＦＡＸ送信の場合、ＦＡＸ番号などの送信宛先に関する情報、スキャナ部１９が原稿の読み取り動作を行うときの読み取り設定（用紙サイズや解像度に関する設定を含む）に関する情報、送信対象となる画像データに添付するカバーページに関する情報などが含まれる。
【００５６】
またジョブ情報４２は、予め送信対象となる画像データが含まれるようにして生成されることが好ましい。そのため、例えばスキャナ部１９にセットされた原稿を読み取ることによって送信対象となる画像データが取得されるような場合、送信ジョブ設定部３２は、第１のユーザーによって設定操作が行われた後、送信ジョブの実行開始を指示するスタートキーが操作されることに伴い、スキャナ部１９を動作させて送信対象となる画像データを取得し、その画像データを含めたジョブ情報４２を生成することが好ましい。また、例えばＨＤＤ１５に予め記憶されている画像データが送信対象として指定された場合には、ＨＤＤ１５からその指定された画像データを読み出し、その画像データを含めたジョブ情報４２を生成することが好ましい。
【００５７】
送信ジョブ確認部３３およびジョブ制御部３４は、送信ジョブ設定部３２によって第１のユーザーが設定した送信ジョブに関するジョブ情報４２がＲＡＭ１３に格納されることに伴って機能する処理部である。
【００５８】
ジョブ制御部３４は、ＲＡＭ１３にジョブ情報４２が格納されると、ＮＶＲＡＭ１４に予め格納されている確認登録情報４１を読み出し、ＲＡＭ１３に格納されたジョブ情報４２の送信種別が第２のユーザーによる確認操作が必要な送信種別であるか否かを判別する。その結果、第２のユーザーによる確認操作が必要な送信種別である場合、ジョブ制御部３４は、第２のユーザーによる確認操作が完了するまで、ＲＡＭ１３に格納されたジョブ情報４２に基づく送信ジョブの実行を禁止する。
【００５９】
送信ジョブ確認部３３は、第１のユーザーによって設定された送信ジョブを、第１のユーザーとは異なる第２のユーザーに確認させるための処理を行うものである。この送信ジョブ確認部３３は、ＲＡＭ１３にジョブ情報４２が格納されているとき、ユーザー判別部３０においてそのジョブ情報４２を設定した第１のユーザーとは異なる第２のユーザーが判別されることに伴って機能する。そして送信ジョブ確認部３３は、第１のユーザーによって設定された確認対象項目の確認操作を第２のユーザーに行わせる。
【００６０】
このとき、送信ジョブ確認部３３は、ＮＶＲＡＭ１４に予め格納されている確認登録情報４１を読み出し、確認登録情報４１に記録されている情報に基づいて確認操作のための処理を実行する。例えば、確認登録情報４１において、確認操作を行う第２のユーザーが特定のユーザーに制限されている場合、送信ジョブ確認部３３は、まず、ユーザー判別部３０によって判別された第２のユーザーが確認登録情報４１に記録されている特定ユーザーであるか否かを判断する。その結果、特定ユーザーであれば、確認操作のための処理を開始する。これに対し、ユーザー判別部３０で判別された第２のユーザーが確認登録情報４１に記録されている特定ユーザーでない場合は、確認操作のための処理を開始することなく、処理を終了する。また、確認登録情報４１において、確認操作を行う第２のユーザーが特定のユーザーに制限されていない場合、送信ジョブ確認部３３は、ユーザー判別部３０によって第１のユーザーとは異なる第２のユーザーが判別されることにより、確認操作のための処理を開始する。
【００６１】
送信ジョブ確認部３３は、確認操作のための処理を開始すると、ＲＡＭ１３に格納されているジョブ情報４２を読み出し、第１のユーザーによって設定された全ての確認対象項目の設定値を抽出する。また送信ジョブ確認部３３は、確認登録情報４１において、第２のユーザーによる確認操作が必要な設定がなされている確認対象項目を特定すると共に、その特定した確認対象項目について設定されている確認操作方法を特定する。そして送信ジョブ確認部３３は、その特定した確認対象項目について第１のユーザーが設定した設定値が正しく設定されているか否かを、特定した確認操作方法によって第２のユーザーに確認させる。
【００６２】
このとき送信ジョブ確認部３３は、操作パネル１６の表示部１７に、送信ジョブの確認操作を行うための確認操作画面を表示し、その画面に対して行われる第２のユーザーの確認操作に基づいて、第２のユーザーによる確認が必要な確認対象項目に対して設定されている情報の正否を判別する。
【００６３】
そしてジョブ制御部３４は、送信ジョブ確認部３３において、第２のユーザーによる確認が必要な全ての確認対象項目に対して設定されている情報が正確であると判別されることを条件として、ＲＡＭ１３に格納されたジョブ情報４２に基づく送信ジョブの送信を許可する。ジョブ制御部３４は、送信ジョブの送信を許可すると、ＲＡＭ１３に格納されているジョブ情報４２を、ＦＡＸモデム２１又はネットワークインタフェース２２に出力し、ジョブ情報４２において指定されている送信宛先に送信する。
【００６４】
次に、第１のユーザーが送信ジョブの設定操作を行うときに操作パネル１６に表示されるジョブ設定画面と、第２のユーザーが送信ジョブの確認操作を行うときに操作パネル１６に表示される確認操作画面とを参照しつつ、第１のユーザーと第２のユーザーのそれぞれが行う操作について順に説明する。尚、以下においては、ＦＡＸ送信を例に挙げて説明する。
【００６５】
図６および図７は、第１のユーザーが操作する画面の一例を示す図である。まず、図６（ａ）に示すように、ログイン操作画面Ｇ２０が表示されている状態で、第１のユーザーであるユーザーＡが自身のユーザーＩＤやパスワードなどの認証情報を入力し、ＯＫボタンＢ２０を押すと、ユーザー判別部３０が機能し、第１のユーザーがユーザーＡであることを判別する。その結果、データ送信装置１は、ユーザーＡがログインしたログイン状態へと移行する。これに伴い、送信ジョブ設定部３２が機能し、操作パネル１６の表示部１７に表示される画面は、図６（ａ）示すログイン操作画面Ｇ２０から、図６（ｂ）に示すようにユーザーＡがＦＡＸ送信に関する設定操作を行うことができるＦＡＸ送信設定画面Ｇ２１に遷移する。
【００６６】
図６（ｂ）に示すＦＡＸ送信設定画面Ｇ２１には、送信宛先を表示する宛先表示欄Ｒ２０と、ユーザーＡが操作可能な複数のキーボタンＢ２１，Ｂ２２，Ｂ２３，Ｂ２４が表示されている。宛先表示欄Ｒ２０には、例えばユーザーＡがテンキーなどを操作することによってＦＡＸ番号などの送信宛先を操作入力することができる。またユーザーＡは、アドレス帳のキーボタンＢ２１を操作することによってデータ送信装置１に予め登録されているアドレス一覧を表示させ、そのアドレス一覧の中から一の送信宛先を選択することも可能である。この場合、宛先表示欄Ｒ２０には、ユーザーＡによってアドレス一覧の中から選択された一の送信宛先に対応するＦＡＸ番号などが表示される。
【００６７】
またユーザーＡは、自身で送信対象となる画像データをプレビュー表示して確認したい場合には、原稿プレビューのキーボタンＢ２２を操作して確認する。例えばスキャナ部１９にセットされた原稿を読み取ることによって送信対象となる画像データが取得されるような場合には、ユーザーＡによって送信ジョブの実行開始を指示するスタートキーの操作ボタンＢ２４が操作されることによって原稿の読み取り動作が行われるため、画像データのプレビュー表示は、原稿の読み取り動作が終了した後に行われることになる。
【００６８】
またユーザーＡは、送信ジョブに関するその他の詳細な設定を行う場合は、詳細設定のキーボタンＢ２３を操作することにより行う。詳細設定のキーボタンＢ２３が操作されると、図示を省略する詳細設定画面が表示部１７に対して表示されるようになる。そしてユーザーＡは、その詳細設定画面に対する操作を行うことにより、原稿読み取り時の用紙サイズや解像度などをデフォルト値から設定変更したり、或いは、送信対象となる画像データにＨＤＤ１５に格納されているカバーページを添付したりする設定を行うことができる。
【００６９】
そしてユーザーＡは、上記のようにして設定操作を行うと、最後にスタートキーのキーボタンＢ２４を操作する。これにより、ユーザーＡによる送信ジョブの設定操作は全て完了する。ユーザーＡによるスタートキーの操作に伴い、上述したように、スキャナ部１９が作動し、送信対象となる画像データが生成される。そして送信ジョブ設定部３２において生成されるジョブ情報４２がＲＡＭ１３に格納された状態となる。
【００７０】
またユーザーＡがスタートキーを操作することに伴い、ジョブ制御部３４が機能し、ユーザーＡによって設定された送信ジョブを直ちに送信するか否かを判断する。そして確認登録情報４１において第２のユーザーによる確認操作が必要な送信ジョブであれば、その送信ジョブを直ちに送信することなく、第２のユーザーによって確認操作が行われるまで、待機する状態となる。このとき、操作パネル１６の表示部１７には、図７に示すような画面Ｇ２２が表示される。すなわち、図７の画面Ｇ２２では、他のユーザーによる確認操作が必要であることがユーザーＡに報知されるようになっている。そして図７の画面Ｇ２２が表示されている状態で、ユーザーＡがＯＫボタンＢ２５を操作すると、ユーザーＡはデータ送信装置１からログアウトする。これにより、データ送信装置１は、第２のユーザーがログインするのを待機する状態となる。
【００７１】
図８乃至図１２は、第２のユーザーが操作する画面の一例を示す図である。上述したように第１のユーザーであるユーザーＡが送信ジョブの設定操作を行った後、確認操作を行う第２のユーザー、すなわちユーザーＢがログインすると、送信ジョブ確認部３３が機能し、操作パネル１６の表示部１７には、図８（ａ）に示すような確認操作画面Ｇ３０が表示される。この確認操作画面Ｇ３０には、送信宛先を表示する宛先表示欄Ｒ２０と、ユーザーＢが操作可能な複数のキーボタンＢ２１，Ｂ２２，Ｂ２３，Ｂ３１，Ｂ３２が表示される。このうち宛先表示欄Ｒ２０およびキーボタンＢ２１，Ｂ２２，Ｂ２３は、図６（ｂ）のＦＡＸ送信設定画面Ｇ２１で表示されていたものと同様のものである。
【００７２】
そして図５に示した確認登録情報４１が予め登録されているとすると、ユーザーＢが確認操作を行うべき確認対象項目は、「送信宛先」と、「プレビュー表示」と、「カバーページ」との３つの項目である。これら３つの項目のうち、「送信宛先」は宛先表示欄Ｒ２０に対応し、「プレビュー表示」は原稿プレビューのキーボタンＢ２２に対応し、「カバーページ」は詳細設定のキーボタンＢ２３に対応する。そのため、図８（ａ）のような確認操作画面Ｇ３０が表示されると、ユーザーＢが確認操作を行うべき領域、すなわち、宛先表示欄Ｒ２０と、キーボタンＢ２２と、キーボタンＢ２３との３つの領域が、通常の表示態様とは異なる第１の表示態様で表示される。この第１の表示態様は、ユーザーＢによる確認操作が行われていない項目を表示するものであり、例えば黄色で点滅表示を行う表示態様となっている。このように第２のユーザーであるユーザーＢがログインしたとき、ユーザーＢが確認操作を行うべき箇所を第１の表示態様で表示することにより、ユーザーＢに対して確認操作の必要な箇所を報知することができる。
【００７３】
また、図５の確認登録情報４１において、「送信宛先」に対応する確認操作方法には、再入力確認が設定されている。そのため、宛先表示欄Ｒ２０には、ユーザーＡが入力したＦＡＸ番号などの送信宛先は表示されない状態となっており、ユーザーＢに送信宛先の再入力が促される。そしてユーザーＢは、宛先表示欄Ｒ２０をタッチ操作すると、図８（ａ）の確認操作画面Ｇ３０は、図８（ｂ）に示す確認操作画面Ｇ３１へと遷移する。そしてユーザーＢは、テンキーなどを操作することによってＦＡＸ番号などの送信宛先を宛先表示欄Ｒ２０へ入力することができるようになる。ユーザーＢは送信宛先の入力操作を完了すると、次にＯＫボタンＢ３２を操作する。このとき、ユーザーＢによる「送信宛先」に対する確認操作が完了したことになる。すると、操作パネル１６に表示される画面は、図８（ｂ）の確認操作画面Ｇ３１から図９（ａ）に示す確認操作画面Ｇ３２に遷移する。図９（ａ）の確認操作画面Ｇ３２は、図８（ａ）に示した画面Ｇ３０と同じ画面構成となっている。
【００７４】
そのような画面遷移が行われるとき、送信ジョブ確認部３３は、ユーザーＢが再入力した送信宛先と、ユーザーＡによって設定された送信宛先とが一致するか否かを判断する。その結果、両者の送信宛先が一致した場合には、ユーザーＡによって設定された送信宛先が正しい設定であると確認することができる。この場合、図９（ａ）に示す確認操作画面Ｇ３２が表示されると、宛先表示欄Ｒ２０の領域が、通常の表示態様とは異なり、且つ、上述した第１の表示態様とも異なる第２の表示態様で表示される。この第２の表示態様は、ユーザーＢによる確認操作が行われた項目を表示するものであると共に、ユーザーＡによる設定が正しい設定であることを表示するものである。例えば、この第２の表示態様は、青色による点灯表示を行う表示態様となっている。
【００７５】
またユーザーＢが再入力した送信宛先と、ユーザーＡによって設定された送信宛先とが一致しなかった場合には、ユーザーＡによって設定された送信宛先が間違った設定であると確認することができる。この場合、図９（ａ）に示す確認操作画面Ｇ３２が表示されると、宛先表示欄Ｒ２０の領域が、通常の表示態様とは異なり、且つ、上述した第１および第２の表示態様とも異なる第３の表示態様で表示される。この第３の表示態様は、ユーザーＢによる確認操作が行われた項目を表示するものであると共に、ユーザーＡによる設定が間違った設定であることを表示するものである。例えば、この第３の表示態様は、赤色による点灯表示を行う表示態様となっている。
【００７６】
次にユーザーＢが原稿プレビューのキーボタンＢ２２を操作すると、図９（ａ）の確認操作画面Ｇ３２が、図９（ｂ）の確認操作画面Ｇ３３に遷移する。図９（ｂ）の確認操作画面Ｇ３３では、送信対象となる画像データが１ページずつプレビュー表示されるようになっている。ユーザーＢは、この確認操作画面Ｇ３３に対するページ更新操作を行っていくことにより、送信対象となる画像データに含まれる全ページの画像を確認する。このとき、ユーザーＢが送信対象の画像データが間違った画像データであることに気付いた場合には、図９（ｂ）の確認操作画面Ｇ３３において下部に表示されているＮＧボタンを操作することにより、ユーザーＡによって設定された画像データが間違った画像データであることを指示することができる。
【００７７】
そしてユーザーＢの操作によって全ページの画像がプレビュー表示されると、図９（ｂ）の確認操作画面Ｇ３３は、図１０（ａ）の確認操作画面Ｇ３４へと遷移する。図１０（ａ）に示す確認操作画面Ｇ３４では、ユーザーＢが全ページのプレビュー表示を行ったことに伴い、ＯＫボタンＢ３３が表示されるようになる。そしてユーザーＢは、そのＯＫボタンＢ３３を操作することにより、ユーザーＡによって設定された画像データが送信対象として正しい画像データであることを指示することができる。このように本実施形態では、ユーザーＢがプレビュー表示によって送信対象となる画像データの確認操作を行う場合、送信対象となる画像データに含まれる全ページのプレビュー表示が完了したことを条件としてＯＫボタンＢ３３が表示される。そしてユーザーＢによってそのようなＯＫボタンＢ３３が操作されることにより、送信ジョブ確認部３３は、送信対象としてユーザーＡによって設定された画像データが正確であると判別することができる構成である。
【００７８】
ユーザーＢによる「プレビュー表示」の確認操作が完了すると、操作パネル１６に表示される画面は、図１０（ａ）の確認操作画面Ｇ３４から図１０（ｂ）に示す確認操作画面Ｇ３５に遷移する。この図１０（ｂ）の確認操作画面Ｇ３５は、図８（ａ）に示した画面Ｇ３０と同じ画面構成となっている。
【００７９】
この画面遷移が行われるとき、送信ジョブ確認部３３は、ユーザーＢによって確認された送信対象となる画像データが正確であるか否かを判断する。その結果、画像データが正確である場合には、図１０（ｂ）に示す確認操作画面Ｇ３５が表示されると、原稿プレビューのキーボタンＢ２２が、例えば青色による点灯表示が行われる第２の表示態様で表示される。これに対し、ユーザーＢがプレビュー表示中にＮＧボタンを操作した場合には、ユーザーＡによって設定された画像データが間違っていることになるため、図１０（ｂ）に示す確認操作画面Ｇ３５が表示されると、原稿プレビューのキーボタンＢ２２が、例えば赤色による点灯表示が行われる第３の表示態様で表示される。
【００８０】
次にユーザーＢが詳細設定のキーボタンＢ２３を操作すると、図１０（ｂ）の確認操作画面Ｇ３５が、図１１（ａ）の確認操作画面Ｇ３６に遷移する。図１１（ａ）の確認操作画面Ｇ３３は、ユーザーＡによって設定された送信ジョブの詳細設定をユーザーＢが確認するための画面となっている。また、この確認操作画面Ｇ３３では、ユーザーＢによる確認操作が必要なカバーページ表示欄Ｒ２１が、例えば黄色での点滅表示を行う第１の表示態様となって表示される。そのため、ユーザーＢは、カバーページに対する確認操作が必要であることを把握することができる。
【００８１】
また、図５の確認登録情報４１において、「カバーページ」に対応する確認操作方法には、設定値確認が設定されている。そのため、カバーページ表示欄Ｒ２１には、ユーザーＡが選択して設定した設定値がそのまま表示される。すなわち、図１１（ａ）の例では、カバーページ表示欄Ｒ２１に、ユーザーＡによって選択されたカバーページが「シートＮｏ．１」に対応するカバーページであることが表示されている。確認操作方法が設定値確認である場合、ユーザーＢは、その設定値に対するタッチ操作で確認操作を行うことができる。例えば、ユーザーＢがユーザーＡによる設定値が表示されたカバーページ表示欄Ｒ２１に対して１回のタッチ操作を行うと、図１１（ａ）の確認操作画面Ｇ３６から図１１（ｂ）の確認操作画面Ｇ３７へと遷移し、カバーページ表示欄Ｒ２１は、黄色の点滅表示である第１の表示態様から青色の点灯表示である第２の表示態様に切り替わる。また、２回目のタッチ操作を行うと、そのカバーページ表示欄Ｒ２１は、青色の点灯表示である第２の表示態様から赤色の点灯表示である第３の表示態様に切り替わる。その後、ユーザーＢがカバーページ表示欄Ｒ２１に対するタッチ操作を行う都度、カバーページ表示欄Ｒ２１の表示態様は、第２の表示態様と第３の表示態様との間で交互に切り替わる。したがって、ユーザーＢは、ユーザーＡによって設定された設定値を確認し、その設定値が正しい設定値であれば、その設定値の表示態様が第２の表示態様となるように操作すれば良い。また、ユーザーＡによる設定値が間違った設定値であれば、その設定値の表示態様が第３の表示態様となるように操作すれば良い。
【００８２】
そして詳細設定の確認操作が完了し、ユーザーＢがＯＫボタンＢ３４を操作すると、操作パネル１６に表示される画面は、図１１（ｂ）の確認操作画面Ｇ３７から図１２（ａ）に示す確認操作画面Ｇ３８に遷移する。この図１２（ａ）の確認操作画面Ｇ３８もまた、図８（ａ）に示した画面Ｇ３０と同じ画面構成となっている。この画面遷移が行われるときにも、送信ジョブ確認部３３は、ユーザーＢによって確認操作の行われたカバーページに対応する確認対象項目が正確であるか否かを判断する。その結果、画像データが正確である場合には、図１２（ａ）に示す確認操作画面Ｇ３８が表示されると、ユーザーＢによって確認操作の必要な全ての確認対象項目が第２の表示態様で表示された状態となる。そして、ユーザーＢは全ての確認操作項目についての操作が完了したことを把握することできる。そしてユーザーＢは、ＯＫボタンＢ３０を操作すると、確認操作のための処理は終了する。またユーザーＢは、確認操作の途中であっても、キャンセルボタンＢ３１を操作することにより、確認操作のための処理を終了させることができる。
【００８３】
送信ジョブ確認部３３は、ユーザーＢによる操作に基づいて確認操作のための処理を終了させるとき、ユーザーＢによる確認操作の必要な項目であって、未だ確認操作の行われていない確認操作項目がある場合、操作パネル１６に図１２（ｂ）に示すような確認操作画面Ｇ３９を表示する。すなわち、この図１２（ｂ）の画面Ｇ３９では、確認操作を終了しようとするユーザーＢに対し、未確認の項目があることを報知する。尚、図例では、プレビュー表示が未確認であることを示している。ユーザーＢは、このような画面Ｇ３９が表示されたとき、戻るボタンＢ３５を操作すると、確認操作を継続することができる。また終了ボタンＢ３６を操作すると、ユーザーＢによる確認操作の必要な確認操作項目が未確認の状態のまま確認操作のための処理が終了する。尚、ユーザーＢが未確認の状態のままで確認操作を終了した場合には、送信ジョブは実行されることがなく、次にユーザーＢがログインすることによって再び確認操作のための処理を開始する。
【００８４】
送信ジョブ確認部３３は、上記のようにして第２のユーザーであるユーザーＢによって行われる確認操作の操作状況を逐次管理する。例えば送信ジョブ確認部３３は、ＲＡＭ１３にジョブ情報４２が格納されることに伴い、そのジョブ情報４２に対応する確認操作管理情報を生成しておき、第２のユーザーがログインして確認操作を行う度にその確認操作管理情報を更新していくことによって第２のユーザーによる確認操作の操作状況を管理するように構成される。
【００８５】
図１３は、そのような確認操作管理情報４３の一例を示す図である。送信ジョブ確認部３３は、ＲＡＭ１３にジョブ情報４２が格納されると、そのジョブ情報４２に対応する確認操作管理情報４３を図１３（ａ）に示すような初期状態として生成する。このような確認操作管理情報４３は、例えばジョブ情報４２に１対１で関連付けた状態でＲＡＭ１３に格納される。また確認操作管理情報４３は、図１３に示すように、第２のユーザーによる確認操作が必要な確認操作項目ごとに、第２のユーザーによる確認操作状況と、第１のユーザーによる設定の正否を示す情報とが記録される情報となっている。尚、図１３（ａ）に示す初期状態では、第２のユーザーによる確認操作が必要な３つの確認操作項目の全てについて、第２のユーザーによる確認操作状況が未確認を示す情報となり、第１のユーザーによる設定の正否を示す情報はブランクとなる。
【００８６】
そして第２のユーザーが「送信宛先」の確認対象項目に対する確認操作を行うと、送信ジョブ確認部３３は、図１３（ｂ）に示すように、確認操作管理情報４３の「送信宛先」に対応する確認操作状況を確認済みに書き換える。また、送信ジョブ確認部３３は、第１のユーザーが設定した送信宛先が正しい送信宛先であるか否かを示す情報を記録する。例えば、第１のユーザーが設定した送信宛先が正しい送信宛先である場合、第１のユーザーによる設定の正否を示す情報には、図１３（ｂ）のように「正」という情報が記録される。これに対し、間違った情報である場合には、「否」という情報が記録される。
【００８７】
次に第２のユーザーが「プレビュー表示」の確認対象項目に対する確認操作を行うと、送信ジョブ確認部３３は、図１３（ｃ）に示すように、確認操作管理情報４３の「プレビュー表示」に対応する確認操作状況を確認済みに書き換える。また、送信ジョブ確認部３３は、第２のユーザーによる操作によって、第１のユーザーが送信対象として設定した画像データが正しい画像データであることが判明すれば、第１のユーザーによる設定が正しいことを示す情報を記録する。
【００８８】
さらに第２のユーザーが「カバーページ」の確認対象項目に対する確認操作を行うと、送信ジョブ確認部３３は、図１３（ｄ）に示すように、確認操作管理情報４３の「カバーページ」に対応する確認操作状況を確認済みに書き換える。また、送信ジョブ確認部３３は、第２のユーザーによる操作によって、第１のユーザーが設定したカバーページが正しいカバーページであることが判明すれば、第１のユーザーによる設定が正しいことを示す情報を記録する。
【００８９】
このようにして送信ジョブ確認部３３は、第２のユーザーによる確認操作に基づき、確認操作管理情報４３を逐次更新していく。そして第２のユーザーによる確認操作が必要な確認対象項目の全てについて、確認操作状況が確認済みに書き換えられると、第２のユーザーによる確認操作が完了したことになる。
【００９０】
そしてジョブ制御部３４は、上記のように送信ジョブ確認部３３によって逐次更新される確認操作管理情報４３を参照し、第２のユーザーによる確認操作が必要な全ての確認対象項目に対応する確認操作状況が確認済みとなり、且つ、全ての確認対象項目について第１のユーザーが設定した情報が正しい情報であることが確認されているか否かを判別する。そして第１のユーザーによって設定されている情報が全て正しいことが確認されていることを条件として、第１のユーザーによって設定された送信ジョブの送信を許可する構成である。
【００９１】
次に本実施形態のデータ送信装置１において行われる具体的な処理手順について説明する。図１４乃至図１６は、データ送信装置１において行われる処理手順の一例を示すフローチャートである。この処理は、データ送信装置１のコントローラ１０においてＲＯＭ１２に格納されているプログラムが読み出されて実行されることにより行われる処理である。尚、この処理が開始される前に、ＮＶＲＡＭ１４には予め上述したユーザー情報４０や確認登録情報４１が記憶された状態となっている。
【００９２】
データ送信装置１は、図１４に示す処理を開始すると、第１のユーザーがログインした状態となるまで待機する（ステップＳ１０）。そして第１のユーザーがログイン操作を行ってデータ送信装置１にログインした状態になると（ステップＳ１０でＹＥＳ）、上述した送信ジョブ設定部３２が機能し、第１のユーザーによる設定操作に基づいて送信ジョブを設定する（ステップＳ１１）。そして第１のユーザーによるスタートキーの操作によって送信ジョブの実行指示を検知すると（ステップＳ１２）、送信ジョブ設定部３２は、スキャナ部１９を駆動して原稿の読み取り動作を行い、送信対象となる画像データを取得する（ステップＳ１３）。その結果、ＲＡＭ１３には、送信対象となる画像データを含むジョブ情報４２が格納される。またこのとき、必要に応じて確認操作管理情報４３が生成され、ジョブ情報４２に関連付けて格納される。
【００９３】
ＲＡＭ１３にジョブ情報４２が格納されると、データ送信装置１は、そのジョブ情報４２に設定された送信ジョブが第２のユーザーによる確認操作の必要なジョブであるか否かを判別する（ステップＳ１４）。このときデータ送信装置１は、ＮＶＲＡＭ１４に予め格納されている確認登録情報４１に基づいて第２のユーザーによる確認操作が必要であるか否かを判別する。そして確認操作が必要な場合（ステップＳ１４でＹＥＳ）、データ送信装置１は、第１のユーザーによる操作に基づいて第１のユーザーをログアウトさせ（ステップＳ１５）、第２のユーザーがログインするのを待機する状態となる（ステップＳ１６）。
【００９４】
その後、確認操作を行うべき第２のユーザーがログインした状態になると（ステップＳ１６でＹＥＳ）、データ送信装置１は、確認処理を実行する（ステップＳ１７）。
【００９５】
図１５は、この確認処理（ステップＳ１７）の詳細な処理手順の一例を示すフローチャートである。データ送信装置１は、確認処理を開始すると、ジョブ情報４２に関連付けられている確認操作管理情報４３を読み出し（ステップＳ３０）、さらにジョブ情報４２を読み出す（ステップＳ３１）。そして操作パネル１６の表示部１７に、第２のユーザーが確認操作を行うための確認操作画面を表示する（ステップＳ３２）。
【００９６】
そしてデータ送信装置１は、第２のユーザーによって行われる確認対象項目に対する確認操作を検知すると（ステップＳ３３）、それに伴い、確認操作管理情報４３を更新すると共に（ステップＳ３４）、表示部１７に表示している確認操作画面を更新する（ステップＳ３５）。以後、第２のユーザーが確認操作の終了を指示するまで、ステップＳ３３，Ｓ３４，Ｓ３５の処理が繰り返し行われる（ステップＳ３６でＮＯ）。
【００９７】
そして第２のユーザーが確認操作の終了を指示すると（ステップＳ３６でＹＥＳ）、データ送信装置１は、第２のユーザーによる確認操作が必要な確認対象項目であって、第２のユーザーが未確認の項目があるか否かを判断する（ステップＳ３７）。その結果、未確認の項目がある場合（ステップＳ３７でＹＥＳ）、図１２（ｂ）に示したような警告画面を表示する（ステップＳ３８）。そしてデータ送信装置１は、第２のユーザーによる操作を検知すると、確認操作を終了するか否かを判断し（ステップＳ３９）、第２のユーザーが確認操作継続を指示した場合には（ステップＳ３９でＮＯ）、ステップＳ３３に戻って上述した処理を繰り返す。また第２のユーザーが警告画面に対して確認操作終了を指示した場合には（ステップＳ３９でＹＥＳ）、確認操作を終了する。
【００９８】
上記のような確認処理（ステップＳ１７）が終了すると、図１４のフローチャートに戻り、データ送信装置１は、第２のユーザーによる操作に基づいて第２のユーザーをログアウトさせる（ステップＳ１８）。次に、データ送信装置１は、第２のユーザーによる確認操作によって送信ジョブが送信可能な状態になった否かを判別するための確認操作判別処理を実行する（ステップＳ１９）。
【００９９】
図１６は、その確認操作判別処理（ステップＳ１９）の詳細な処理手順の一例を示すフローチャートである。データ送信装置１は、この処理を開始すると、確認操作管理情報４３を読み出す（ステップＳ４０）。そして第１のユーザーによって設定された送信ジョブに設置間違いが存在するか否かを判断する（ステップＳ４１）。その結果、設定間違いがある場合（ステップＳ４１でＹＥＳ）、データ送信装置１は、第１のユーザーに再設定を促すための通知を行う（ステップＳ４２）。この通知は、例えば第１のユーザーに対して電子メールを送信することにより行われる。ただし、電子メールの送信に限られるものではなく、操作パネル１６の表示部１７に対して、第１のユーザーに再度ログインして送信ジョブの再設定を促す表示を行うものであっても構わない。そして第１のユーザーに再設定を促すための通知を行うと、データ送信装置１は、送信ジョブの送信を不許可に設定する（ステップＳ４３）。
【０１００】
一方、第１のユーザーによって設定された送信ジョブに設置間違いが存在しない場合（ステップＳ４１でＮＯ）、データ送信装置１は、第２のユーザーによる確認操作が必要な全ての確認対象項目について確認操作が完了しているか否かを判断する（ステップＳ４４）。その結果、未確認の項目がある場合（ステップＳ４４でＮＯ）、データ送信装置１は、送信ジョブの送信を不許可に設定する（ステップＳ４３）。また第２のユーザーによる未確認の項目がない場合（ステップＳ４４でＹＥＳ）、データ送信装置１は、送信ジョブの送信を許可する（ステップＳ４５）。
【０１０１】
上記のような確認操作判別処理（ステップＳ１９）が終了すると、図１４のフローチャートに戻り、データ送信装置１は、第２のユーザーによる確認操作によって送信ジョブの送信が許可されたか否かを判断する（ステップＳ２０）。その結果、送信が不許可に設定されている場合（ステップＳ２０でＮＯ）、上述したステップＳ１０に戻り、第１のユーザーが再びログインして再設定を行うのを待機する状態となる。これに対し、送信が許可されている場合（ステップＳ２０でＹＥＳ）、データ送信装置１は、第１のユーザーによって設定された送信ジョブの送信を開始する（ステップＳ２１）。その後、送信ジョブの送信が完了すると、全ての処理が終了する。
【０１０２】
尚、ステップＳ１４において、第１のユーザーによって設定された送信ジョブが、第２のユーザーによる確認操作の不要なジョブであると判断された場合（ステップＳ１４でＮＯ）、データ送信装置１は、そのまま送信ジョブの送信を開始して処理を終了する（ステップＳ２１）。
【０１０３】
以上のように、本実施形態のデータ送信装置１は、第１のユーザーによって行われる送信ジョブに関する設定操作に基づいて送信ジョブを設定し、その送信ジョブに設定されている情報のうち、予め設定された確認対象項目における情報を、第１のユーザーとは異なる第２のユーザーに確認させるようになっている。そしてデータ送信装置１は、第１のユーザーとは異なる第２のユーザーによる確認操作を受け付けて、その確認対象項目に対して設定されている情報の正否を判別し、その確認対象項目に対して設定されている情報が正確であると判別されることを条件として、第１のユーザーによって設定された送信ジョブの送信を許可する構成である。つまり、本実施形態のデータ送信装置１は、第２のユーザーが確認操作を行うときには、予め設定された確認対象項目を全て確認する必要があり、未確認の確認対象項目が少なくとも１つあれば、送信ジョブが送信されないようになっている。そして第２のユーザーによる確認操作によって確認対象項目に第１のユーザーが設定した情報が正確であると判別されることにより、送信ジョブが送信される。そのため、第２のユーザーが第１のユーザーによって設定された送信ジョブの詳細を確認することなく、送信ジョブの実行だけを許可することはできないようになっており、送信ジョブの誤送信を良好に防止することができるという利点がある。特に、本実施形態のデータ送信装置１は、第１のユーザーによって指定された送信宛先を第２のユーザーに確実に確認させることができるため、間違った送信宛先に対してＦＡＸ送信などが行われてしまうことを良好に防止することができる。
【０１０４】
また、上述したデータ送信装置１は、第１のユーザーによって送信対象として指定された画像データのプレビュー表示を行うとき、第２のユーザーによって行われるページ更新操作に基づいてプレビュー表示する画像データを更新していき、第２のユーザーによるページ更新操作によって送信対象となる画像データに含まれる全ページのプレビュー表示が完了することを条件として、第１のユーザーにより設定された画像データが正確であると判別する構成である。そのため、第２のユーザーが画像データに含まれる全ページをプレビュー表示で確認しない限り、送信ジョブが実行されないため、間違った内容の画像データが送信されてしまうことを良好に防止することもできる。
【０１０５】
尚、上記においては、第２のユーザーがカバーページの確認を行う場合、第１のユーザーによって選択されたカバーページの設定値の確認を行うことを例示した。しかし、これに限らず、カバーページについても、送信対象となる画像データと同様に、プレビュー表示を行うことによって第２のユーザーにその内容を確認させるようにしても良い。この場合、データ送信装置１は、第２のユーザーによる操作に基づいて、第１のユーザーが選択したカバーページのプレビュー表示を行うことを条件として、送信対象として設定されているカバーページが正確であると判別するようになる。
【０１０６】
（第２の実施の形態）
次に第２の実施の形態について説明する。上述した第１の実施の形態では、データ送信装置１が、操作パネル１６に対する手動操作によって入力される認証情報、或いは、ＩＣカードから読み取ったカード情報や、ユーザーの生体から読み取った生体情報に基づいて、操作パネル１６に対する操作を行うユーザーを判別する場合を例示した。そのため、第１の実施の形態では、第１のユーザーや第２のユーザーが操作パネル１６に対する操作を行うためには、その都度はじめにログイン操作を行わなければならず、操作性の観点から好ましいものではない。
【０１０７】
一方、近年では、人体を介して通信を行う人体通信技術が確立している。そのため、そのような人体通信技術を利用して操作パネル１６を操作するユーザーを判別するようにしても良い。つまり、第１のユーザーと第２のユーザーは、それぞれ自身の認証情報を記録した携帯端末装置を所持しておき、操作パネル１６の操作部１８には、ユーザーがタッチ操作を行うと、そのタイミングで各ユーザーが所持している携帯端末装置と人体を介して通信を行う電極を設けておく。そうすると、上述したユーザー判別部３０は、操作パネル１６に対するタッチ操作が行われる都度、その操作を行うユーザーが所持している携帯端末装置から認証情報を自動取得してユーザー判別を行うことができるようになる。この場合、第１のユーザーおよび第２のユーザーは、操作パネル１６を操作する際にログイン操作を行う必要がなくなるので、操作性が向上するという利点がある。
【０１０８】
本実施形態は、上記のような人体通信技術によってユーザーの判別が行われる場合の一実施形態を例示するものである。尚、本実施形態においても、データ送信装置１の具体的な構成は、第１の実施の形態で説明したものと同様である。以下においては、上述した第１の実施の形態とは異なる点である、データ送信装置１において行われる処理手順について説明する。
【０１０９】
図１７は、第２の実施の形態のデータ送信装置１において行われる処理手順の一例を示すフローチャートである。この処理は、データ送信装置１のコントローラ１０においてＲＯＭ１２に格納されているプログラムが読み出されて実行されることにより行われる処理である。尚、この処理が開始される前に、ＮＶＲＡＭ１４には予め上述したユーザー情報４０や確認登録情報４１が記憶された状態となっている。
【０１１０】
データ送信装置１は、操作パネル１６に対して操作が行われるのを待機する状態となっている（ステップＳ５０）。そして操作パネル１６に対する操作を検知すると（ステップＳ５０でＹＥＳ）、人体通信によって認証情報を取得し、ユーザー判別を行う。そしてデータ送信装置１は、操作パネル１６を操作するユーザーが第１のユーザーである場合（ステップＳ５１でＹＥＳ）、操作パネル１６の表示部１７にジョブ設定画面を表示する。そして第１のユーザーによる設定操作に基づいて送信ジョブを設定する（ステップＳ５２）。そして送信ジョブの送信が許可されたか否かを判断し（ステップＳ６２）、許可されていない状態の場合にはステップＳ５０に戻る。したがって、第１のユーザーが送信ジョブの設定操作を行う都度、ステップＳ５０〜Ｓ５２，Ｓ６２の処理が繰り返し行われ、第１のユーザーによる操作に基づいて送信ジョブが設定されていく。
【０１１１】
次に第１のユーザーにより設定された送信ジョブに関するジョブ情報４２がＲＡＭ１３に格納されている状態で、第２のユーザーが操作パネル１６を操作すると（ステップＳ５０でＹＥＳ）、データ送信装置１は、人体通信によって第２のユーザーが所持する携帯端末装置から認証情報を取得し、ユーザー判別を行う。そしてデータ送信装置１は、操作パネル１６を操作するユーザーが第１のユーザーではなく、第２のユーザーである場合（ステップＳ５４でＹＥＳ）、操作パネル１６の表示部１７に確認操作画面を表示する。そして第２のユーザーによる確認操作に基づいてその確認状況を反映させていく（ステップＳ５５）。そしてデータ送信装置１は、第２のユーザーによる確認操作が行われる都度、第１のユーザーによる設定に設定間違いがあったか否かを判断する（ステップＳ５６）。設定間違いがあった場合（ステップＳ５６でＹＥＳ）、データ送信装置１は、第１のユーザーに再設定操作を促す通知を行い（ステップＳ５７）、送信ジョブの送信を不許可に設定する（ステップＳ５８）。また、設定間違いがなかった場合（ステップＳ５６でＮＯ）、データ送信装置１は、第２のユーザーによって全ての項目が確認されたか否かを判断する（ステップＳ５９）。その結果、未確認の項目がある場合（ステップＳ５９でＮＯ）、データ送信装置１は送信ジョブの送信を不許可に設定する（ステップＳ５８）。これに対し、全項目の確認操作が完了している場合（ステップＳ５９でＹＥＳ）、データ送信装置１は、送信ジョブの送信を許可する（ステップＳ６０）。
【０１１２】
そしてデータ送信装置１は、送信ジョブの送信が許可されたか否かを判断し（ステップＳ６２）、許可されていない状態の場合にはステップＳ５０に戻る。したがって、第２のユーザーが送信ジョブの確認操作を行う都度、ステップＳ５０，Ｓ５１,Ｓ５４〜Ｓ６０，Ｓ６２の処理が繰り返し行われ、第２のユーザーによる操作に基づいて送信ジョブの確認処理が進められていく。
【０１１３】
尚、操作パネル１６を操作するユーザーが第１のユーザーでなく、また第２のユーザーでもない場合（ステップＳ５４でＮＯ）、データ送信装置１は、その他の処理を実行し（ステップＳ６１）、他のユーザーによって行われる操作に基づいた処理を行う。
【０１１４】
そして最終的に第１のユーザーによって設定された送信ジョブの送信許可が与えられた場合（ステップＳ６２でＹＥＳ）、データ送信装置１は、その送信ジョブの送信を開始する（ステップＳ６３）。その後、送信ジョブの送信が完了すると、全ての処理が終了する。
【０１１５】
以上のように本実施形態のデータ送信装置１は、操作パネル１６に対する操作を行うユーザーの人体を介して、そのユーザーが所持する携帯端末装置との通信を行うことにより、その携帯端末装置から取得するユーザーの識別情報に基づいて、操作パネル１６に対する操作が行われる都度、ユーザーの判別を行うように構成される。そのため、第１のユーザーが送信ジョブの設定操作を行うとき、或いは、第２のユーザーが確認操作を行うときには、ログイン操作を行う必要がなくなるので、操作性が向上するという利点がある。例えば、第１のユーザーと第２のユーザーとが頻繁に入れ替わりながら送信ジョブの設定操作と確認操作とを同時並行で行っていく場合には、作業効率が著しく向上する。また、第２のユーザーによる確認操作によって設定間違いが発見され、第１のユーザーがその間違いを修正するために再度設定操作を行う場合にも、その都度ログイン操作を行う必要がなくなるので、操作性が向上する。
【０１１６】
（変形例）
以上、本発明に関する好ましい実施形態について説明したが、本発明は上述した内容のものに限られるものではなく、種々の変形例が適用可能である。以下、いくつかの変形例について説明する。
【０１１７】
例えば、上記実施形態では、第１のユーザーがスキャナ部１９にセットした原稿を読み取って送信対象となる画像データを取得する場合に、第１のユーザーがスタートキーを操作することに伴って原稿の読み取り動作を開始する場合を例示した。しかし、原稿の読み取り動作を行うタイミングは、上述したものに限られるものではなく、例えば第２のユーザーがプレビュー表示によって送信対象となる画像データの内容を確認するための操作を行ったタイミングであっても構わない。また、第２のユーザーが送信対象として設定されている画像データを確認する必要がない場合には、第２のユーザーによる確認操作が完了したタイミングで原稿の読み取り動作を開始するものであっても構わない。
【０１１８】
また上記実施形態では、主として送信ジョブの送信種別がＦＡＸ送信である場合を例示したが、ＦＡＸ送信に限られるものでもない。例えば、送信種別がスキャン送信である場合であっても、上記と同様である。
【０１１９】
また上記実施形態では、第２のユーザーが確認操作を行うときに表示される確認操作画面Ｇ３０（図８（ａ）参照）が、送信ジョブの設定を行うときの画面Ｇ２１（図６（ｂ）参照）と同様の画面構成である場合を例示した。しかし、確認操作画面Ｇ３０の画面構成はそれに限られるものではない。例えば、送信ジョブ確認部３３は、確認操作画面Ｇ３０を生成するとき、第２のユーザーによる確認操作が必要な複数の確認対象項目の全てを、一つの画面に集約させた画面を生成するようにしても良い。そのような画面を生成すれば、第２のユーザーが確認操作を行うときの画面遷移回数を低減することができるため、効率的に確認操作を行うことができるようになる。
【０１２０】
また上記実施形態では、図５に示したような確認登録情報４１が予め登録されている場合での第２のユーザーによる確認操作の一態様を説明した。しかし、第２のユーザーによる確認操作の態様は、確認登録情報４１の内容に応じて異なるものとなる。そのため、第２のユーザーが確認操作を行う場合の具体的な操作態様は、上述したものに限られない。
【符号の説明】
【０１２１】
１  データ送信装置
１０  コントローラ
１６  操作パネル（操作入力手段）
１９  スキャナ部（原稿読取手段）
３０  ユーザー判別部（ユーザー判別手段）
３２  送信ジョブ設定部（送信ジョブ設定手段）
３３  送信ジョブ確認部（送信ジョブ確認手段）
３４  ジョブ制御部（ジョブ制御手段）
【図１】
0005831267.tif 000002
【図２】
0005831267.tif 000003
【図３】
0005831267.tif 000004
【図４】
0005831267.tif 000005
【図５】
0005831267.tif 000006
【図６】
0005831267.tif 000007
【図７】
0005831267.tif 000008
【図８】
0005831267.tif 000009
【図９】
0005831267.tif 000010
【図１０】
0005831267.tif 000011
【図１１】
0005831267.tif 000012
【図１２】
0005831267.tif 000013
【図１３】
0005831267.tif 000014
【図１４】
0005831267.tif 000015
【図１５】
0005831267.tif 000016
【図１６】
0005831267.tif 000017
【図１７】
0005831267.tif 000018